(57)【要約】【課題】洗車機の本体部の移動方向に関して必要設置スペースをできる限り小さくして、設置スペースが比較的狭い場所にも設置することが可能な洗車機を提供する。【解決手段】洗車機ＷＡは被洗浄車両ＣＡに対して前後方向に移動する本体部１と、本体部１に配置され本体部１において上下方向に移動して被洗浄車両ＣＡの上面を洗浄するトップブラシ４と、本体部１に配置され本体部１の移動により被洗浄車両ＣＡの側面を洗浄するとともに本体部１において左右方向に移動して被洗浄車両ＣＡの前面ＣＡｆ及び後面ＣＡｂを洗浄するサイドブラシ５と、サイドブラシ５をトップブラシ４に対して本体部１の被洗浄車両ＣＡの入口側１ｅと出口側１ｘとに移動させる移動機構５０と、を備える。【選択図】図１
2015116997.tif 000002
【特許請求の範囲】
【請求項１】
被洗浄車両に対して前後方向に移動する本体部と、
前記本体部に配置され前記本体部において上下方向に移動して被洗浄車両の上面を洗浄するトップブラシと、
前記本体部に配置され前記本体部の移動により被洗浄車両の側面を洗浄するとともに前記本体部において左右方向に移動して被洗浄車両の前面及び後面を洗浄するサイドブラシと、
前記サイドブラシを前記トップブラシに対して前記本体部の被洗浄車両の入口側と出口側とに移動させる移動機構と、
を備えることを特徴とする洗車機。
【請求項２】
１本の前記サイドブラシが被洗浄車両の両側の側方の間を左右に移動して被洗浄車両の両側の側面を洗浄することを特徴とする請求項１に記載の洗車機。
【請求項３】
前記移動機構が、前記サイドブラシを連結して水平面内で前記トップブラシの周囲を周回するチェーンと、前記チェーンが巻き掛けられてモータにより回転するスプロケットと、を備えることを特徴とする請求項１または請求項２に記載の洗車機。
【請求項４】
前記サイドブラシを前記本体部の被洗浄車両の入口側に配置して前記トップブラシにより被洗浄車両の上面の前端部を洗浄するとともに、前記サイドブラシを前記本体部の被洗浄車両の出口側に配置して被洗浄車両の前面を洗浄することを特徴とする請求項１〜請求項３のいずれかに記載の洗車機。
【請求項５】
前記サイドブラシを前記本体部の被洗浄車両の出口側に配置して前記トップブラシにより被洗浄車両の上面の後端部を洗浄するとともに、前記サイドブラシを前記本体部の被洗浄車両の入口側に配置して被洗浄車両の後面を洗浄することを特徴とする請求項１〜請求項４のいずれかに記載の洗車機。
【請求項６】
洗車開始時に前記サイドブラシが前記本体部の被洗浄車両の入口側且つ被洗浄車両の前面より後方に配置され、前記本体部が洗車開始位置から被洗浄車両の後方に向かって所定量移動した後に停止して前記サイドブラシを前記本体部の被洗浄車両の出口側に配置し、前記サイドブラシにより被洗浄車両の前面を洗浄することを特徴とする請求項１〜請求項５のいずれかに記載の洗車機。
【発明の詳細な説明】
【技術分野】
【０００１】
本発明は洗車機に関する。
【背景技術】
【０００２】
給油所等に設置される従来の洗車機が特許文献１に開示されている。特許文献１に記載された洗車機は被洗浄車両を跨ぐ門型に形成された本体部を備える。洗車機の本体部はその底面に車輪を備え、レール上を走行して被洗浄車両に対して前後方向に相対移動する。洗車機の本体部にはトップブラシ及びサイドブラシが設けられている。
【０００３】
トップブラシは水平な回転軸周りに回転して被洗浄車両の上面を洗浄する。サイドブラシは略垂直な回転軸周りに回転して被洗浄車両の側面を洗浄する。トップブラシ及びサイドブラシのブラシ毛は例えば不織布により形成されている。洗車機の利用者が所望の洗車条件を設定すると、洗車機の本体部は被洗浄車両の方へ移動する。このとき、トップブラシが被洗浄車両の上面に沿って移動しながら洗浄し、サイドブラシが被洗浄車両の側面に沿って移動しながら洗浄する。
【先行技術文献】
【特許文献】
【０００４】
【特許文献１】特開平１０−２２６３２２号公報
【発明の概要】
【発明が解決しようとする課題】
【０００５】
しかしながら、上記従来の洗車機はトップブラシとサイドブラシとを平面視において重ねて配置することができず、被洗浄車両に対する前後方向（本体部の移動方向）に位置をずらして配置する必要がある。例えば上記特許文献１に記載された洗車機のように、サイドブラシがトップブラシに対して本体部の被洗浄車両の出口側に配置される。これにより、洗車機の必要設置スペースが被洗浄車両に対する前後方向（本体部の移動方向）に比較的大きくなり、設置スペースが比較的狭い場所には設置できないことが懸念されていた。
【０００６】
本発明は、上記の点に鑑みなされたものであり、洗車機の本体部の移動方向に関して必要設置スペースをできる限り小さくして、設置スペースが比較的狭い場所にも設置することが可能な洗車機を提供することを目的とする。
【課題を解決するための手段】
【０００７】
上記の課題を解決するため、本発明の洗車機は、被洗浄車両に対して前後方向に移動する本体部と、前記本体部に配置され前記本体部において上下方向に移動して被洗浄車両の上面を洗浄するトップブラシと、前記本体部に配置され前記本体部の移動により被洗浄車両の側面を洗浄するとともに前記本体部において左右方向に移動して被洗浄車両の前面及び後面を洗浄するサイドブラシと、前記サイドブラシを前記トップブラシに対して前記本体部の被洗浄車両の入口側と出口側とに移動させる移動機構と、を備えることを特徴としている。
【０００８】
また、上記構成の洗車機において、１本の前記サイドブラシが被洗浄車両の両側の側方の間を左右に移動して被洗浄車両の両側の側面を洗浄することを特徴としている。
【０００９】
また、上記構成の洗車機において、前記移動機構が、前記サイドブラシを連結して水平面内で前記トップブラシの周囲を周回するチェーンと、前記チェーンが巻き掛けられてモータにより回転するスプロケットと、を備えることを特徴としている。
【００１０】
また、上記構成の洗車機において、前記サイドブラシを前記本体部の被洗浄車両の入口側に配置して前記トップブラシにより被洗浄車両の上面の前端部を洗浄するとともに、前記サイドブラシを前記本体部の被洗浄車両の出口側に配置して被洗浄車両の前面を洗浄することを特徴としている。
【００１１】
また、上記構成の洗車機において、前記サイドブラシを前記本体部の被洗浄車両の出口側に配置して前記トップブラシにより被洗浄車両の上面の後端部を洗浄するとともに、前記サイドブラシを前記本体部の被洗浄車両の入口側に配置して被洗浄車両の後面を洗浄することを特徴としている。
【００１２】
また、上記構成の洗車機において、洗車開始時に前記サイドブラシが前記本体部の被洗浄車両の入口側且つ被洗浄車両の前面より後方に配置され、前記本体部が洗車開始位置から被洗浄車両の後方に向かって所定量移動した後に停止して前記サイドブラシを前記本体部の被洗浄車両の出口側に配置し、前記サイドブラシにより被洗浄車両の前面を洗浄することを特徴としている。
【発明の効果】
【００１３】
本発明の構成によれば、サイドブラシがトップブラシに対して本体部の被洗浄車両の入口側と出口側とに移動するので、本体部が被洗浄車両に対する前後方向の端部までレール上を移動するとき、その端部側にサイドブラシが位置しないようサイドブラシを移動させることができる。すなわち、例えば本体部が被洗浄車両の前面側端部に位置するときにサイドブラシを本体部の被洗浄車両の入口側（被洗浄車両に対する後方側）に移動させることができる。また、例えば本体部が被洗浄車両の後面側端部に位置するときにサイドブラシを本体部の被洗浄車両の出口側（被洗浄車両に対する前方側）に移動させることができる。したがって、洗車機の本体部の移動方向に関して必要設置スペースをできる限り小さくして、設置スペースが比較的狭い場所にも設置することが可能な洗車機を提供することができる。
【図面の簡単な説明】
【００１４】
【図１】本発明の第１実施形態に係る洗車機の側面図である。
【図２】本発明の第１実施形態に係る洗車機の本体部の正面図である。
【図３】本発明の第１実施形態に係る洗車機の本体部の上面図である。
【図４】本発明の第１実施形態に係る洗車機のサイドブラシの移動経路を示す本体部の上面図である。
【図５】本発明の第１実施形態に係る洗車機及びサイドブラシの移動を説明するための側面図である。
【図６】本発明の第１実施形態に係る洗車機及びサイドブラシの移動を説明するための側面図である。
【図７】本発明の第１実施形態に係る洗車機と従来例の洗車機との比較を示す側面図である。
【図８】本発明の第２実施形態に係る洗車機及びサイドブラシの移動を説明するための側面図である。
【図９】本発明の第２実施形態に係る洗車機と従来例の洗車機との比較を示す側面図である。
【図１０】本発明の第３実施形態に係る洗車機の本体部の上面図である。
【発明を実施するための形態】
【００１５】
以下、本発明の実施形態を図１〜図１０に基づき説明する。
【００１６】
＜第１実施形態＞
最初に、本発明の第１実施形態に係る洗車機について、図１及び図２を用いてその全体構造と動作を説明する。図１は洗車機の側面図であり、図２は洗車機の本体部の正面図である。
【００１７】
なお、図１に係る以下の説明において、洗車機及び被洗浄車両の前後方向は図１の左右横方向を表し、洗車機及び被洗浄車両の左右横方向（幅方向）は図１の紙面奥行き方向を表す。同様に、図２に係る以下の説明において、洗車機及び被洗浄車両の前後方向は図２の紙面奥行き方向を表し、洗車機及び被洗浄車両の左右横方向（幅方向）は図２の左右横方向を表す。
【００１８】
洗車機ＷＡは、図１及び図２に示すように本体部１、レール２及びリモートパネル７Ａを備える。図２に示すように、本体部１は上下方向に延びる左右の対向する２つの側壁部１Ｓと、本体部１の左右横方向に延びて２つの側壁部１Ｓの上端を連結する天井部１Ｔとを有して門型に形成される。
【００１９】
レール２は地面に左右一対が設けられ、本体部１の２つの側壁部１Ｓの底面に設けた車輪３がレール２の上に配置される。これにより、本体部１はレール２の上に立てた状態で設置され、走行モータ（不図示）の駆動によりレール２上を走行して被洗浄車両ＣＡに対して前後方向に相対移動する。このとき、本体部１は、図１における右側の面であって図２における正面を入口側１ｅとして被洗浄車両ＣＡを本体部１の内側に進入させ、図１における左側の面を出口側１ｘとして被洗浄車両ＣＡを本体部１の内側から退出させる。
【００２０】
ここで、本体部１の入口側１ｅと対向する被洗浄車両ＣＡの面（図１における被洗浄車両ＣＡの左端）を被洗浄車両ＣＡの前面ＣＡｆとし、その反対側の面（図１における被洗浄車両ＣＡの右端）を被洗浄車両ＣＡの後面ＣＡｂとする。
【００２１】
リモートパネル７Ａは本体部１の進入経路に沿って設置される。被洗浄車両ＣＡの運転者は被洗浄車両ＣＡをリモートパネル７Ａの面前で停車させ、被洗浄車両ＣＡの内部からリモートパネル７Ａを操作して洗車条件の設定を行う。
【００２２】
リモートパネル７Ａの操作部（不図示）に設けたボタンにより、シャンプー、ワックス掛け、撥水コート等に使用する液剤を用いた洗車条件を設定することができる。また、フロントガード有り、フェンダーポール有り、サイドミラー有り、リヤワイパー有り、ルーフキャリア有り等の装備品の設定もすることができる。
【００２３】
本体部１の側方には洗剤やワックス等の各種液剤を貯液した複数の貯液タンクを収納するタンク収納部１７が配置される。タンク収納部１７の上方には市水及び各貯液タンクからの液剤を分配する分配配管部１８が設けられる。分配配管部１８には第１浄水ノズル１１及び第１洗剤ノズル１２と、以下不図示の第２浄水ノズル、第２洗剤ノズル、撥水コートノズル及びワックスノズルとがそれぞれ電磁バルブを介して接続される。
【００２４】
第１浄水ノズル１１及び第２浄水ノズルは本体部１の、被洗浄車両ＣＡの入口側１ｅ及び出口側１ｘに各々配置され、被洗浄車両ＣＡに対して市水を噴射する。第１洗剤ノズル１２及び第２洗剤ノズルは本体部１の、被洗浄車両ＣＡの入口側１ｅ及び出口側１ｘに各々配置され、被洗浄車両ＣＡに対してシャンプーなどの洗浄液を噴射する。
【００２５】
撥水コートノズル及びワックスノズルは本体部１の後部に配置される。撥水コートノズルは被洗浄車両ＣＡに対して撥水コートの液剤を噴射する。ワックスノズルは被洗浄車両ＣＡに対してワックスの液剤を噴射する。
【００２６】
また、本体部１には気流を発生して被洗浄車両ＣＡを乾燥させるブロア２０が設けられる。ブロア２０にはトップ送風ノズル２１及びサイド送風ノズル２２が接続される。トップ送風ノズル２１は本体部１の上部に設けられ被洗浄車両ＣＡの上面に向けて送風する。サイド送風ノズル２２は本体部１の左右両側部に設けられ、被洗浄車両ＣＡの側面に向けて送風する。トップ送風ノズル２１及びサイド送風ノズル２２の送風によって洗浄後の被洗浄車両ＣＡの表面を乾燥させる。
【００２７】
本体部１の前側上部、側部には車両形状センサ８、９が設けられる。車両形状センサ８、９は光電センサや超音波センサ等からなり、本体部１に進入する被洗浄車両ＣＡの外面形状を検知する。これにより、各回転ブラシの初期位置や本体部１の走行範囲が決定される。
【００２８】
本体部１の一方の側壁部１Ｓの前面には操作パネル７が配置される。操作パネル７はリモートパネル７Ａと同様に洗車条件を設定する操作部（不図示）を備え、被洗浄車両ＣＡから降車した利用者等の操作で洗車の受け付けや洗車条件の設定を行うことができる。
【００２９】
本体部１には被洗浄車両ＣＡの表面上を滑らせてブラッシングする複数の回転ブラシが設けられる。回転ブラシはトップブラシ４、サイドブラシ５及びロッカーブラシ６からなる。トップブラシ４は本体部１の上部に１本配置され、本体部１において上下方向に移動して被洗浄車両ＣＡの上面を洗浄する。サイドブラシ５は本体部１に１本配置され、本体部１の移動により被洗浄車両ＣＡの側面を洗浄するとともに、本体部１において左右方向に移動して被洗浄車両ＣＡの前面ＣＡｆ及び後面ＣＡｂを洗浄する。ロッカーブラシ６は本体部１に左右一対が配置され、被洗浄車両ＣＡの側面の下部を洗浄する。
【００３０】
上記構成の洗車機ＷＡに対して、利用者は被洗浄車両ＣＡを運転してリモートパネル７Ａの面前で停車させ、被洗浄車両ＣＡの内部から所望する洗車条件の設定を行う。このとき、利用者はまずリモートパネル７Ａに対して金銭を投入したり、カードを挿入したりすることにより洗車に係る料金の支払いを行う。続いて、利用者は所望する洗車条件の設定を行って、釣り銭やカード、レシート等を受け取る。そして、利用者は所定の洗車開始位置まで被洗浄車両ＣＡを移動させる。その後、洗車機ＷＡは設定された洗車条件に基づいて被洗浄車両ＣＡの洗車を実行する。
【００３１】
続いて、サイドブラシ５に係る詳細な構成とその動作について、図１及び図２に加えて図３〜図７を用いて説明する。図３及び図４は本体部１の上面図及びサイドブラシ５の移動経路を示す本体部１の上面図である。図５及び図６は洗車機ＷＡ及びサイドブラシ５の移動を説明するための側面図である。図７は第１実施形態に係る洗車機ＷＡと従来例の洗車機との比較を示す側面図である。
【００３２】
サイドブラシ５は、前述のように本体部１に１本が配置される。そして、１本のサイドブラシ５が被洗浄車両ＣＡの両側の側方の間を左右に移動して被洗浄車両ＣＡの両側の側面を洗浄する。
【００３３】
本体部１の上部には、図１及び図２に示すようにサイドブラシ５を移動させるための移動機構５０が設けられる。移動機構５０は、図１〜図３に示すように支持部材５１、チェーン５２、スプロケット５３、モータ５４及びガイドレール５５を備える。
【００３４】
支持部材５１は、図１及び図３に示すように本体部１の天井部１Ｔの筐体から外側に向かって略水平に突出する。支持部材５１は外側の一端でサイドブラシ５を支持し、内側（本体部１側）の一端でチェーン５２に連結する。サイドブラシ５は支持部材５１に吊り下げられる形で設けられる。
【００３５】
チェーン５２は、図３に示すように本体部１の上部左右各々に配置された２個のスプロケット５３に巻き掛けられる。チェーン５２は支持部材５１を介してサイドブラシ５を連結して水平面内でオーバル形状にてトップブラシ４の周囲を周回する。
【００３６】
モータ５４は不図示の変速機などを介して一方のスプロケット５３に連結される。モータ５４を駆動することによりスプロケット５３が回転してチェーン５２、すなわちサイドブラシ５がトップブラシ４の周囲を周回する。
【００３７】
ガイドレール５５は、図１及び図２に示すように本体部１の天井部１Ｔの筐体に設けられ、チェーン５２の下方に配置される。ガイドレール５５は、図３に示すようにチェーン５２と同様の水平面内でオーバル形状をなすよう形成される。支持部材５１はチェーン５２の下方でガイドレール５５と対向する箇所に、ガイドレール５５に当接して回転する不図示のガイド車輪を備える。ガイドレール５５はチェーン５２の下方で支持部材５１を支持してその周回動作を案内する。
【００３８】
上記構成により、移動機構５０は、図４に示すようにサイドブラシ５をトップブラシ４に対して本体部１の被洗浄車両ＣＡの入口側１ｅと出口側１ｘとに移動させる。図３及び図４に示した一点鎖線及び実線矢印は移動機構５０によるサイドブラシ５の移動経路及び移動方向を表す。すなわち、サイドブラシ５は図３及び図４における時計方向と反時計方向とのいずれからも本体部１の被洗浄車両ＣＡの入口側１ｅと出口側１ｘとに移動することができる。
【００３９】
洗車開始時、図５に示すように被洗浄車両ＣＡがその利用者により所定の洗車開始位置まで移動される。サイドブラシ５は本体部１の被洗浄車両ＣＡの入口側１ｅ且つ被洗浄車両ＣＡの前面ＣＡｆより後方に配置される。そして、トップブラシ４により被洗浄車両ＣＡの上面の前端部を洗浄する。
【００４０】
続いて、図６に示すように本体部１が洗車開始位置から被洗浄車両ＣＡの後方に向かって所定量移動した後に停止する。そして、サイドブラシ５を本体部１の被洗浄車両ＣＡの出口側１ｘに配置し、サイドブラシ５が被洗浄車両ＣＡの両側の側方の間を左右に移動することにより被洗浄車両ＣＡの前面ＣＡｆを洗浄する。
【００４１】
その後、サイドブラシ５を被洗浄車両ＣＡの左右一方の側方に移動し、サイドブラシ５による被洗浄車両ＣＡの一方の側面の洗浄を開始する。さらに、トップブラシ４による被洗浄車両ＣＡの上面の洗浄を開始する。そして、サイドブラシ５による被洗浄車両ＣＡの側面の洗浄とトップブラシ４による被洗浄車両ＣＡの上面の洗浄とを実行しながら、本体部１が被洗浄車両ＣＡの後方に向かって移動する。
【００４２】
本体部１が、図７に示すように被洗浄車両ＣＡの後面ＣＡｂのさらに後方まで移動し、サイドブラシ５による被洗浄車両ＣＡの側面の後端部の洗浄とトップブラシ４による被洗浄車両ＣＡの上面の後端部の洗浄とを実行する。そして、サイドブラシ５が被洗浄車両ＣＡの両側の側方の間を左右に移動することにより被洗浄車両ＣＡの後面ＣＡｂを洗浄する。
【００４３】
この後、サイドブラシ５を被洗浄車両ＣＡの未だ洗浄していない他方の側方に移動し、サイドブラシ５による被洗浄車両ＣＡの他方の側面の洗浄を実行する。
【００４４】
このような構成により、図７に示すように第１実施形態に係る洗車機ＷＡはその必要設置スペースの本体部１の移動方向に関する長さＬ２を、従来の洗車機１００の必要設置スペースの本体部１の移動方向に関する長さＬ１より短くすることができる。
【００４５】
＜第２実施形態＞
次に、本発明の第２実施形態に係る洗車機について、図８及び図９を用いて説明する。図８は洗車機及びサイドブラシの移動を説明するための側面図、図９は第２実施形態に係る洗車機と従来例の洗車機との比較を示す側面図である。なお、この実施形態の基本的な構成は先に説明した第１実施形態と同じであるので、第１実施形態と共通する構成要素には前と同じ符号を付してその説明を省略するものとする。
【００４６】
第２実施形態の洗車機ＷＡでは、図９に示すように本体部１が被洗浄車両ＣＡの後面ＣＡｂのさらに後方まで移動する。その移動過程においては、サイドブラシ５を本体部１の被洗浄車両ＣＡの出口側１ｘに配置して被洗浄車両ＣＡの側面を洗浄する。そして、本体部１が被洗浄車両ＣＡの後面ＣＡｂのさらに後方まで移動するときには、トップブラシ４により被洗浄車両ＣＡの上面の後端部を洗浄する。
【００４７】
続いて、図８に示すように本体部１が被洗浄車両ＣＡの側面及び上面の洗浄終了位置（図９参照）から被洗浄車両ＣＡの前方に向かって所定量移動した後に停止する。そして、サイドブラシ５を本体部１の被洗浄車両ＣＡの入口側１ｅに配置し、サイドブラシ５が被洗浄車両ＣＡの両側の側方の間を左右に移動することにより被洗浄車両ＣＡの後面ＣＡｂを洗浄する。
【００４８】
このような構成により、図９に示すように第２実施形態に係る洗車機ＷＡはその必要設置スペースの本体部１の移動方向に関する長さＬ３を、従来の洗車機１００の必要設置スペースの本体部１の移動方向に関する長さＬ１より短くすることができる。さらに、第２実施形態に係る洗車機ＷＡの必要設置スペースの本体部１の移動方向に関する長さＬ３は、第１実施形態に係る洗車機ＷＡの必要設置スペースの本体部１の移動方向に関する長さＬ２より短い。
【００４９】
＜第３実施形態＞
次に、本発明の第３実施形態に係る洗車機について、図１０を用いて説明する。図１０は洗車機の本体部の上面図である。なお、この実施形態の基本的な構成は先に説明した第１実施形態と同じであるので、第１実施形態と共通する構成要素には前と同じ符号を付してその説明を省略するものとする。
【００５０】
第３実施形態の洗車機ＷＡでは、図１０に示すように２本のサイドブラシ５Ａ、５Ｂが本体部１に配置される。そして、２本のサイドブラシ５Ａ、５Ｂが被洗浄車両ＣＡの両側の側方の間を左右に移動して被洗浄車両ＣＡの両側の側面を洗浄する。
【００５１】
本体部１の上部にはサイドブラシ５Ａを移動させるための移動機構５０Ａと、サイドブラシ５Ｂを移動させるための移動機構５０Ｂとが個別に設けられる。移動機構５０Ａは支持部材５１Ａ、チェーン５２Ａ、スプロケット５３Ａ及びモータ５４Ａを備える。同様に、移動機構５０Ｂは支持部材５１Ｂ、チェーン５２Ｂ、スプロケット５３Ｂ及びモータ５４Ｂを備える。
【００５２】
移動機構５０Ａのチェーン５２Ａ及びスプロケット５３Ａと、移動機構５０Ｂのチェーン５２Ｂ及びスプロケット５３Ｂとは同様の構成のものが上下方向に並べて配置される。これにより、２本のサイドブラシ５Ａ、５Ｂは水平面内で同様のオーバル形状にてトップブラシ４の周囲を周回する。ガイドレール５５は移動機構５０Ａ、５０Ｂで共用され、チェーン５２Ａ、５２Ｂの下方で支持部材５１Ａ、５１Ｂ各々を支持してそれらの周回動作を案内する。
【００５３】
上記構成により、移動機構５０Ａ、５０Ｂはサイドブラシ５Ａ、５Ｂをトップブラシ４に対して本体部１の被洗浄車両ＣＡの入口側１ｅと出口側１ｘとに移動させる。図１０に示した一点鎖線は移動機構５０によるサイドブラシ５Ａ、５Ｂの移動経路を表す。サイドブラシ５Ａ、５Ｂは図１０における時計方向と反時計方向とのいずれからも本体部１の被洗浄車両ＣＡの入口側１ｅと出口側１ｘとに移動することができる。
【００５４】
したがって、第３実施形態の洗車機ＷＡでは、被洗浄車両ＣＡの左右の側面を同時に洗浄できるので、洗車時間の短縮化を図ることができる。さらに、サイドブラシ５Ａ、５Ｂ各々に被洗浄車両ＣＡの前面ＣＡｆ及び後面ＣＡｂの洗浄を例えば半分ずつ同時に実行させることにより、より一層洗車時間の短縮化を図ることが可能である。
【００５５】
上記実施形態のように、洗車機ＷＡは被洗浄車両ＣＡに対して前後方向に移動する本体部１と、本体部１に配置され本体部１において上下方向に移動して被洗浄車両ＣＡの上面を洗浄するトップブラシ４と、本体部１に配置され本体部１の移動により被洗浄車両ＣＡの側面を洗浄するとともに本体部１において左右方向に移動して被洗浄車両ＣＡの前面ＣＡｆ及び後面ＣＡｂを洗浄するサイドブラシ５と、サイドブラシ５をトップブラシ４に対して本体部１の被洗浄車両ＣＡの入口側１ｅと出口側１ｘとに移動させる移動機構５０と、を備えている。
【００５６】
この構成によれば、本体部１が被洗浄車両ＣＡに対する前後方向の端部までレール２上を移動するとき、その端部側にサイドブラシ５が位置しないようサイドブラシ５をトップブラシ４に対して本体部１の被洗浄車両ＣＡの入口側１ｅ或いは出口側１ｘに移動させることができる。すなわち、例えば本体部１が被洗浄車両ＣＡの前面ＣＡｆ側の端部に位置するときにサイドブラシ５を本体部１の被洗浄車両の入口側１ｅ（被洗浄車両ＣＡに対する後方側）に移動させることができる。また、例えば本体部１が被洗浄車両ＣＡの後面ＣＡｂ側の端部に位置するときにサイドブラシ５を本体部１の被洗浄車両の出口側１ｘ（被洗浄車両ＣＡに対する前方側）に移動させることができる。したがって、洗車機ＷＡは本体部１の移動方向に関して必要設置スペースをできる限り小さくして、設置スペースが比較的狭い場所にも設置することが可能になる。
【００５７】
また、第１実施形態及び第２実施形態の洗車機ＷＡは１本のサイドブラシ５が被洗浄車両ＣＡの両側の側方の間を左右に移動して被洗浄車両ＣＡの両側の側面を洗浄している。この構成によれば、洗車機ＷＡの構造の簡素化や、部品点数及び製造工程の低減を図ることができる。
【００５８】
また、サイドブラシ５の移動機構５０はサイドブラシ５を連結して水平面内でトップブラシ４の周囲を周回するチェーン５２と、チェーン５２が巻き掛けられてモータ５４により回転するスプロケット５３と、を備えている。この構成によれば、サイドブラシ５をトップブラシ４に対して本体部１の被洗浄車両ＣＡの入口側１ｅと出口側１ｘとに移動させる移動機構５０を容易に実現することが可能である。
【００５９】
また、洗車機ＷＡはサイドブラシ５を本体部１の被洗浄車両ＣＡの入口側１ｅに配置してトップブラシ４により被洗浄車両ＣＡの上面の前端部を洗浄するとともに、サイドブラシ５を本体部１の被洗浄車両ＣＡの出口側１ｘに配置して被洗浄車両ＣＡの前面ＣＡｆを洗浄する。
【００６０】
この構成によれば、被洗浄車両ＣＡの前面ＣＡｆ側に延びる本体部１の移動範囲を比較的短くすることができる。したがって、洗車機ＷＡは被洗浄車両ＣＡの前面ＣＡｆ側における必要設置スペースをできる限り小さくすることが可能である。
【００６１】
また、洗車機ＷＡはサイドブラシ５を本体部１の被洗浄車両ＣＡの出口側１ｘに配置してトップブラシ４により被洗浄車両ＣＡの上面の後端部を洗浄するとともに、サイドブラシ５を本体部１の被洗浄車両ＣＡの入口側１ｅに配置して被洗浄車両ＣＡの後面ＣＡｂを洗浄する。
【００６２】
この構成によれば、被洗浄車両ＣＡの後面ＣＡｂ側に延びる本体部１の移動範囲を比較的短くすることができる。したがって、洗車機ＷＡは被洗浄車両ＣＡの後面ＣＡｂ側における必要設置スペースをできる限り小さくすることが可能である。
【００６３】
そして、洗車機ＷＡは洗車開始時にサイドブラシ５が本体部１の被洗浄車両ＣＡの入口側１ｅ且つ被洗浄車両ＣＡの前面ＣＡｆより後方に配置され、本体部１が洗車開始位置から被洗浄車両ＣＡの後方に向かって所定量移動した後に停止してサイドブラシ５を本体部１の被洗浄車両ＣＡの出口側１ｘに配置し、サイドブラシ５により被洗浄車両ＣＡの前面ＣＡｆを洗浄する。
【００６４】
この構成によれば、被洗浄車両ＣＡの前面ＣＡｆ側に延びる本体部１の移動範囲を比較的短くすることができ、且つ洗車開始時にサイドブラシ５を使用した被洗浄車両ＣＡの前面ＣＡｆの洗浄を好適に実行することが可能である。したがって、洗車機ＷＡは本体部１の移動方向に関して必要設置スペースをできる限り小さくすることができ、さらに被洗浄車両ＣＡを効率良く洗浄することが可能である。
【００６５】
このようにして、本発明の上記実施形態の構成によれば、洗車機ＷＡの本体部１の移動方向に関して必要設置スペースをできる限り小さくして、設置スペースが比較的狭い場所にも設置することが可能な洗車機ＷＡを提供することができる。
【００６６】
以上、本発明の実施形態につき説明したが、本発明の範囲はこれに限定されるものではなく、発明の主旨を逸脱しない範囲で種々の変更を加えて実施することができる。
【産業上の利用可能性】
【００６７】
本発明は洗車機において利用可能である。
【符号の説明】
【００６８】
１    本体部
１ｅ    入口側
１ｘ    出口側
４    トップブラシ
５    サイドブラシ
５０、５０Ａ、５０Ｂ    移動機構
５１、５１Ａ、５１Ｂ    支持部材
５２、５２Ａ、５２Ｂ    チェーン
５３、５３Ａ、５３Ｂ    スプロケット
５４、５４Ａ、５４Ｂ    モータ
５５    ガイドレール
ＷＡ    洗車機
ＣＡ    被洗浄車両
ＣＡｆ    前面
ＣＡｂ    後面
【図１】
2015116997.tif 000003
【図２】
2015116997.tif 000004
【図３】
2015116997.tif 000005
【図４】
2015116997.tif 000006
【図５】
2015116997.tif 000007
【図６】
2015116997.tif 000008
【図７】
2015116997.tif 000009
【図８】
2015116997.tif 000010
【図９】
2015116997.tif 000011
【図１０】
2015116997.tif 000012